(57)【要約】  【課題】  放送内容の記録を利用者が指示したときより前に放送された放送内容を記録することができる放送内容記録システムを提供する。  【解決手段】  放送内容記録システム１０は、車載装置２０及び宅内装置３０を備え、車載装置２０は、操作部２１と、アンテナ２２と、アンテナ２２によって受信された放送内容の一時的な記録である仮記録を行うとともに仮記録している放送内容の少なくとも一部を操作部２１に入力された本記録指示に基づいて本記録を行う記録部２４と、操作部２１に入力された本記録指示を宅内装置３０に送信する無線通信機２５とを有し、宅内装置３０は、アンテナ３２と、アンテナ３２によって受信された放送内容を無線通信機２５から送信された本記録指示に基づいて本記録を開始する記録部３３と、記録部２４に本記録された放送内容及び記録部３３に本記録された放送内容に基づいて一連の放送内容を復元する制御部３４とを有する。  【選択図】  図１
2006180215.tif 000002
【特許請求の範囲】
【請求項１】
所定の場所に固定された固定装置と、前記固定装置に対して移動可能な移動装置と、放送内容を復元する復元手段とを備え、
前記移動装置は、前記放送内容を受信する移動側放送受信手段と、前記移動側放送受信手段によって受信された前記放送内容の一時的な記録である仮記録を行う移動側仮記録手段と、前記放送内容の本記録の指示である本記録指示が入力される指示入力手段と、前記指示入力手段に入力された前記本記録指示を前記固定装置に送信する指示送信手段と、前記移動側仮記録手段に仮記録されている前記放送内容の少なくとも一部を前記指示入力手段に入力された前記本記録指示に基づいて本記録を行う移動側本記録手段とを有し、
前記固定装置は、前記放送内容を受信する固定側放送受信手段と、前記固定側放送受信手段によって受信された前記放送内容を前記指示送信手段から送信された前記本記録指示に基づいて本記録を開始する固定側本記録手段とを有し、
前記復元手段は、前記移動側本記録手段に本記録された前記放送内容と、前記固定側本記録手段に本記録された前記放送内容とに基づいて一連の前記放送内容を復元することを特徴とする放送内容記録システム。
【請求項２】
前記移動装置は、前記移動側放送受信手段によって受信された前記放送内容を表示する放送内容表示手段を有することを特徴とする請求項１に記載の放送内容記録システム。
【請求項３】
前記移動側仮記録手段及び前記固定側本記録手段は、前記放送内容表示手段が表示しているチャンネルの前記放送内容を記録することを特徴とする請求項２に記載の放送内容記録システム。
【請求項４】
前記移動装置は、車両に搭載され、
前記移動側仮記録手段は、前記車両のエンジンが始動したときに前記放送内容の仮記録を開始することを特徴とする請求項１から請求項３の何れか１項に記載の放送内容記録システム。
【請求項５】
前記移動装置は、車両に搭載され、
前記移動側仮記録手段は、前記車両のアクセサリ電源が入ったときに前記放送内容の仮記録を開始することを特徴とする請求項１から請求項３の何れか１項に記載の放送内容記録システム。
【請求項６】
所定の場所に固定された固定装置と、前記固定装置に対して移動可能な移動装置とを備え、
前記移動装置は、放送内容の本記録の指示である本記録指示が入力される指示入力手段と、前記放送内容の一時的な記録である仮記録の指示である仮記録指示及び前記指示入力手段に入力された前記本記録指示を前記固定装置に送信する指示送信手段とを有し、
前記固定装置は、前記放送内容を受信する固定側放送受信手段と、前記固定側放送受信手段によって受信された前記放送内容を前記仮記録指示に基づいて仮記録を開始する固定側仮記録手段と、前記固定側仮記録手段に仮記録されている前記放送内容の少なくとも一部を前記指示送信手段から送信された前記本記録指示に基づいて本記録を行う固定側本記録手段とを有することを特徴とする放送内容記録システム。
【請求項７】
前記移動装置は、前記放送内容を受信する移動側放送受信手段と、前記移動側放送受信手段によって受信された前記放送内容を表示する放送内容表示手段とを有することを特徴とする請求項６に記載の放送内容記録システム。
【請求項８】
前記固定側仮記録手段は、前記放送内容表示手段が表示しているチャンネルの前記放送内容を記録することを特徴とする請求項７に記載の放送内容記録システム。
【請求項９】
前記移動装置は、車両に搭載され、
前記指示送信手段は、前記車両のエンジンが始動したときに前記仮記録指示を前記固定装置に送信することを特徴とする請求項６から請求項８の何れか１項に記載の放送内容記録システム。
【請求項１０】
前記移動装置は、車両に搭載され、
前記指示送信手段は、前記車両のアクセサリ電源が入ったときに前記仮記録指示を前記固定装置に送信することを特徴とする請求項６から請求項８の何れか１項に記載の放送内容記録システム。
【請求項１１】
前記移動装置は、車両の位置を検出する位置検出手段を有し、前記車両に搭載され、
前記指示送信手段は、前記車両のエンジンが停止したときに前記位置検出手段によって検出された前記位置が所定の位置である場合、前記放送内容の仮記録の終了の指示である仮記録終了指示を前記固定装置に送信し、
前記固定側仮記録手段は、前記固定側本記録手段が前記放送内容の本記録の動作中ではないとき、前記仮記録終了指示に基づいて前記放送内容の仮記録を終了することを特徴とする請求項６から請求項１０の何れか１項に記載の放送内容記録システム。
【請求項１２】
前記移動装置は、車両の位置を検出する位置検出手段を有し、前記車両に搭載され、
前記指示送信手段は、前記車両のアクセサリ電源が切れたときに前記位置検出手段によって検出された前記位置が所定の位置である場合、前記放送内容の仮記録の終了の指示である仮記録終了指示を前記固定装置に送信し、
前記固定側仮記録手段は、前記固定側本記録手段が前記放送内容の本記録の動作中ではないとき、前記仮記録終了指示に基づいて前記放送内容の仮記録を終了することを特徴とする請求項６から請求項１０の何れか１項に記載の放送内容記録システム。
【請求項１３】
前記固定装置は、電子番組ガイドを取得する番組ガイド取得手段と、前記固定側本記録手段が本記録している放送番組の終了時刻を前記電子番組ガイドに基づいて取得する終了時刻取得手段とを有し、
前記固定側本記録手段は、前記固定側放送受信手段によって受信された前記放送内容の本記録を前記終了時刻まで継続することを特徴とする請求項１から請求項１２の何れか１項に記載の放送内容記録システム。
【発明の詳細な説明】
【技術分野】
【０００１】
本発明は、放送内容を記録する放送内容記録システムに関するものである。
【背景技術】
【０００２】
従来の放送内容記録システムは、利用者の自宅に固定設置された録画装置に放送番組の録画の指示が車両内の利用者から無線通信で伝達された場合に、利用者からの指示が録画装置に伝達されたときから放送番組の録画を録画装置によって開始するものが知られている（例えば、特許文献１参照。）。
【特許文献１】特開２００２−３００５０２号公報（第４−５頁、第１−３図）
【発明の開示】
【発明が解決しようとする課題】
【０００３】
しかしながら、従来の放送内容記録システムにおいては、利用者からの指示が録画装置に伝達されたときから放送番組の録画を録画装置によって開始するので、利用者からの指示が録画装置に伝達されたときより前に放送された放送番組を録画することができず、例えば、車両内のテレビで放送番組を見ていた利用者が放送中のシーンを録画したいと思っても肝心のシーンの録画が間に合わないという問題があった。
【０００４】
本発明は、従来の問題を解決するためになされたもので、放送内容の記録を利用者が指示したときより前に放送された放送内容を記録することができる放送内容記録システムを提供することを目的とする。
【課題を解決するための手段】
【０００５】
本発明の放送内容記録システムは、所定の場所に固定された固定装置と、前記固定装置に対して移動可能な移動装置と、放送内容を復元する復元手段とを備え、前記移動装置は、前記放送内容を受信する移動側放送受信手段と、前記移動側放送受信手段によって受信された前記放送内容の一時的な記録である仮記録を行う移動側仮記録手段と、前記放送内容の本記録の指示である本記録指示が入力される指示入力手段と、前記指示入力手段に入力された前記本記録指示を前記固定装置に送信する指示送信手段と、前記移動側仮記録手段に仮記録されている前記放送内容の少なくとも一部を前記指示入力手段に入力された前記本記録指示に基づいて本記録を行う移動側本記録手段とを有し、前記固定装置は、前記放送内容を受信する固定側放送受信手段と、前記固定側放送受信手段によって受信された前記放送内容を前記指示送信手段から送信された前記本記録指示に基づいて本記録を開始する固定側本記録手段とを有し、前記復元手段は、前記移動側本記録手段に本記録された前記放送内容と、前記固定側本記録手段に本記録された前記放送内容とに基づいて一連の前記放送内容を復元する構成を有している。
【０００６】
この構成により、本発明の放送内容記録システムは、放送内容の本記録を利用者が指示するときより前から放送内容の仮記録を移動装置が予め行っているので、放送内容の本記録を利用者が指示したときより前に放送された放送内容を本記録することができる。なお移動装置として、例えば、移動通信端末や自動車や携帯端末等の移動体を用いることができる。
【０００７】
また、本発明の放送内容記録システムの前記移動装置は、前記移動側放送受信手段によって受信された前記放送内容を表示する放送内容表示手段を有する構成を有している。
【０００８】
この構成により、本発明の放送内容記録システムは、放送内容を実際に見た利用者に放送内容の本記録を指示させることができるので、本記録指示を利用者が誤って行う可能性を低減することができる。
【０００９】
また、本発明の放送内容記録システムの前記移動側仮記録手段及び前記固定側本記録手段は、前記放送内容表示手段が表示しているチャンネルの前記放送内容を記録する構成を有している。
【００１０】
この構成により、本発明の放送内容記録システムは、移動装置や固定装置が記録する放送内容が放送されているチャンネルが利用者によって直接指示されなくても、利用者に見せている放送内容を自動的に記録するので、本記録指示を利用者に容易に行わせることができる。
【００１１】
また、本発明の放送内容記録システムの前記移動装置は、車両に搭載され、前記移動側仮記録手段は、前記車両のエンジンが始動したときに前記放送内容の仮記録を開始する構成を有している。
【００１２】
この構成により、本発明の放送内容記録システムは、放送内容の仮記録が利用者によって直接指示されなくても、車両のエンジンが始動したことによって放送内容の仮記録を自動的に開始するので、利便性を向上することができる。
【００１３】
また、本発明の放送内容記録システムの前記移動装置は、車両に搭載され、前記移動側仮記録手段は、前記車両のアクセサリ電源が入ったときに前記放送内容の仮記録を開始する構成を有している。
【００１４】
この構成により、本発明の放送内容記録システムは、放送内容の仮記録が利用者によって直接指示されなくても、車両のアクセサリ電源が入ったことによって放送内容の仮記録を自動的に開始するので、利便性を向上することができる。
【００１５】
また、本発明の放送内容記録システムは、所定の場所に固定された固定装置と、前記固定装置に対して移動可能な移動装置とを備え、前記移動装置は、放送内容の本記録の指示である本記録指示が入力される指示入力手段と、前記放送内容の一時的な記録である仮記録の指示である仮記録指示及び前記指示入力手段に入力された前記本記録指示を前記固定装置に送信する指示送信手段とを有し、前記固定装置は、前記放送内容を受信する固定側放送受信手段と、前記固定側放送受信手段によって受信された前記放送内容を前記仮記録指示に基づいて仮記録を開始する固定側仮記録手段と、前記固定側仮記録手段に仮記録されている前記放送内容の少なくとも一部を前記指示送信手段から送信された前記本記録指示に基づいて本記録を行う固定側本記録手段とを有する構成を有している。
【００１６】
この構成により、本発明の放送内容記録システムは、放送内容の本記録を利用者が指示するときより前から放送内容の仮記録を固定装置が予め行っているので、放送内容の本記録を利用者が指示したときより前に放送された放送内容を本記録することができる。
【００１７】
また、本発明の放送内容記録システムの前記移動装置は、前記放送内容を受信する移動側放送受信手段と、前記移動側放送受信手段によって受信された前記放送内容を表示する放送内容表示手段とを有する構成を有している。
【００１８】
この構成により、本発明の放送内容記録システムは、放送内容を実際に見た利用者に放送内容の本記録を指示させることができるので、本記録指示を利用者が誤って行う可能性を低減することができる。
【００１９】
また、本発明の放送内容記録システムの前記固定側仮記録手段は、前記放送内容表示手段が表示しているチャンネルの前記放送内容を記録する構成を有している。
【００２０】
この構成により、本発明の放送内容記録システムは、固定装置が記録する放送内容が放送されているチャンネルが利用者によって直接指示されなくても、利用者に見せている放送内容を自動的に記録するので、本記録指示を利用者に容易に行わせることができる。
【００２１】
また、本発明の放送内容記録システムの前記移動装置は、車両に搭載され、前記指示送信手段は、前記車両のエンジンが始動したときに前記仮記録指示を前記固定装置に送信する構成を有している。
【００２２】
この構成により、本発明の放送内容記録システムは、放送内容の仮記録が利用者によって直接指示されなくても、車両のエンジンの始動によって放送内容の仮記録を自動的に開始するので、利便性を向上することができる。
【００２３】
また、本発明の放送内容記録システムの前記移動装置は、車両に搭載され、前記指示送信手段は、前記車両のアクセサリ電源が入ったときに前記仮記録指示を前記固定装置に送信する構成を有している。
【００２４】
この構成により、本発明の放送内容記録システムは、放送内容の仮記録が利用者によって直接指示されなくても、車両のアクセサリ電源が入ったことによって放送内容の仮記録を自動的に開始するので、利便性を向上することができる。
【００２５】
また、本発明の放送内容記録システムの前記移動装置は、車両の位置を検出する位置検出手段を有し、前記車両に搭載され、前記指示送信手段は、前記車両のエンジンが停止したときに前記位置検出手段によって検出された前記位置が所定の位置である場合、前記放送内容の仮記録の終了の指示である仮記録終了指示を前記固定装置に送信し、前記固定側仮記録手段は、前記固定側本記録手段が前記放送内容の本記録の動作中ではないとき、前記仮記録終了指示に基づいて前記放送内容の仮記録を終了する構成を有している。
【００２６】
この構成により、本発明の放送内容記録システムは、放送内容の仮記録の終了が利用者によって直接指示されなくても、車両のエンジンが停止したことによって放送内容の仮記録を自動的に終了するので、利便性を向上することができる。
【００２７】
また、本発明の放送内容記録システムの前記移動装置は、車両の位置を検出する位置検出手段を有し、前記車両に搭載され、前記指示送信手段は、前記車両のアクセサリ電源が切れたときに前記位置検出手段によって検出された前記位置が所定の位置である場合、前記放送内容の仮記録の終了の指示である仮記録終了指示を前記固定装置に送信し、前記固定側仮記録手段は、前記固定側本記録手段が前記放送内容の本記録の動作中ではないとき、前記仮記録終了指示に基づいて前記放送内容の仮記録を終了する構成を有している。
【００２８】
この構成により、本発明の放送内容記録システムは、放送内容の仮記録の終了が利用者によって直接指示されなくても、車両のアクセサリ電源が切れたことによって放送内容の仮記録を自動的に終了するので、利便性を向上することができる。
【００２９】
また、本発明の放送内容記録システムの前記固定装置は、電子番組ガイドを取得する番組ガイド取得手段と、前記固定側本記録手段が本記録している放送番組の終了時刻を前記電子番組ガイドに基づいて取得する終了時刻取得手段とを有し、前記固定側本記録手段は、前記固定側放送受信手段によって受信された前記放送内容の本記録を前記終了時刻まで継続する構成を有している。
【００３０】
この構成により、本発明の放送内容記録システムは、放送内容の本記録の終了が利用者によって直接指示されなくても、記録中の放送番組が終了するときに放送内容の本記録を自動的に終了するので、利便性を向上することができる。
【００３１】
なお、放送内容記録システムの前記移動装置を車両に搭載したことで、移動中に記録したい放送内容の番組があった場合でも、利用者が指示したときより前に放送された放送内容の本記録を行うことができる。
【発明の効果】
【００３２】
本発明は、放送内容の記録を利用者が指示したときより前に放送された放送内容を記録することができる放送内容記録システムを提供することができるものである。
【発明を実施するための最良の形態】
【００３３】
以下、本発明の実施の形態について、図面を用いて説明する。
【００３４】
（第１の実施の形態）
まず、第１の実施の形態に係る放送内容記録システムの構成について説明する。
【００３５】
図１に示すように、本実施の形態に係る放送内容記録システム１０は、利用者の車両４１に搭載された車載装置２０と、所定の場所としての利用者の自宅４２に固定された固定装置としての宅内装置３０とを備えている。
【００３６】
車載装置２０は、宅内装置３０に対して車両４１と共に移動可能であり、移動装置を構成している。また、車載装置２０は、利用者によって操作される操作部２１と、放送内容を受信する移動側放送受信手段としてのアンテナ２２と、アンテナ２２によって受信された放送内容を表示する放送内容表示手段としてのテレビ２３と、アンテナ２２によって受信された放送内容の一時的な記録である仮記録を行う移動側仮記録手段としての記録部２４と、宅内装置３０との無線通信を行う無線通信機２５と、操作部２１に対する利用者の操作に基づいてテレビ２３、記録部２４及び無線通信機２５の動作を制御する制御部２６とを備えている。
【００３７】
ここで、仮記録とは、例えば３０分等の一定時間分を超える放送内容について古いものから順次自動的に上書きされることによって、記憶容量の節約が可能な記録である。例えば、一定時間より長く連続して放送内容を記録部２４が仮記録しているとき、記録部２４には、一定時間前から現在までの放送内容が仮記録されていることになる。また、本記録とは、一定時間分を超える放送内容についても上書きされない記録である。
【００３８】
また、操作部２１は、放送内容の本記録の指示である本記録指示が利用者から緊急に入力されるための緊急記録釦等の釦を有しており、指示入力手段を構成している。
【００３９】
また、記録部２４は、ＨＤＤ（Ｈａｒｄ  Ｄｉｓｋ  Ｄｒｉｖｅ）等の記録媒体等によって構成されている。
【００４０】
また、制御部２６は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）及びＣＰＵ（Ｃｅｎｔｒａｌ  Ｐｒｏｃｅｓｓｉｎｇ  Ｕｎｉｔ）等によって構成されている。
【００４１】
また、制御部２６は、操作部２１に入力された本記録指示や、テレビ２３が表示しているチャンネル（以下「表示チャンネル」という。）を無線通信機２５によって宅内装置３０に送信するようになっている。即ち、無線通信機２５は、指示送信手段を構成している。
【００４２】
また、制御部２６は、記録部２４が仮記録している放送内容の少なくとも一部の本記録を、操作部２１に入力された本記録指示に基づいて記録部２４に行わせるようになっている。即ち、記録部２４は、移動側本記録手段を構成している。
【００４３】
なお、制御部２６は、テレビ２３の表示チャンネルで放送されている放送内容を記録部２４に記録させるようになっている。
【００４４】
また、宅内装置３０は、車載装置２０の無線通信機２５との間で無線通信を行う無線通信機３１と、放送内容を受信する固定側放送受信手段としてのアンテナ３２と、アンテナ３２によって受信された放送内容を記録しＨＤＤ等の記録媒体等によって構成された記録部３３と、無線通信機３１によって受信した信号に基づいて記録部３３の動作を制御しＲＡＭ、ＲＯＭ及びＣＰＵ等によって構成された制御部３４とを備えている。
【００４５】
ここで、制御部３４は、アンテナ３２によって受信された放送内容の本記録を、無線通信機３１によって車載装置２０から受信した本記録指示に基づいて記録部３３に開始させるようになっている。即ち、記録部３３は、固定側本記録手段を構成している。
【００４６】
なお、制御部３４は、無線通信機３１によって車載装置２０から受信したテレビ２３の表示チャンネルで放送されている放送内容を記録部３３に記録させるようになっている。
【００４７】
また、制御部３４は、アンテナ３２を介して電子番組ガイドを取得するようになっている。即ち、アンテナ３２は、番組ガイド取得手段を構成している。
【００４８】
また、制御部３４は、記録部３３が本記録している放送番組の終了時刻を電子番組ガイドに基づいて取得するようになっており、終了時刻取得手段を構成している。
【００４９】
また、制御部３４は、車載装置２０の記録部２４によって本記録されている放送内容（以下「車側本記録内容」という。）と、宅内装置３０の記録部３３によって本記録されている放送内容（以下「宅側本記録内容」という。）とに基づいて一連の放送内容を復元するようになっており、復元手段を構成している。
【００５０】
次に、放送内容記録システム１０の動作について説明する。
【００５１】
まず、車載装置２０の動作について説明する。
【００５２】
図２に示すように、車載装置２０の制御部２６は、車両４１のエンジンが始動されたか否かを車両４１のエンジンが始動されるまで判断し（Ｓ５０）、車両４１のエンジンが始動されたとＳ５０において判断すると、操作部２１を介して利用者によって選択されたテレビ２３の表示チャンネルで放送している放送内容の仮記録を記録部２４に開始させる（Ｓ５１）。
【００５３】
制御部２６は、放送内容の仮記録をＳ５１において記録部２４に開始させると、操作部２１の緊急記録釦が押されたか否かを判断する（Ｓ５２）。
【００５４】
制御部２６は、緊急記録釦が押されたとＳ５２において判断すると、本記録指示と、テレビ２３の表示チャンネルとを無線通信機２５を介して宅内装置３０に送信し（Ｓ５３）、記録部２４に仮記録されている放送内容のうち、テレビ２３の表示チャンネルの切り替えを行った最近の時点以降の放送内容を本記録し（Ｓ５４）、記録部２４による放送内容の仮記録を終了した後（Ｓ５５）、テレビ２３の表示チャンネルが切り替えられたか否かを判断する（Ｓ５６）。
【００５５】
制御部２６は、テレビ２３の表示チャンネルが切り替えられたとＳ５６において判断したとき、再びＳ５１の処理を実行する。一方、制御部２６は、テレビ２３の表示チャンネルが切り替えられなかったとＳ５６において判断したとき、車両４１のエンジンが停止されたか否かを判断する（Ｓ５７）。
【００５６】
制御部２６は、車両４１のエンジンが停止されたとＳ５７において判断すると、図２に示す一連の処理を終了する。一方、制御部２６は、車両４１のエンジンが停止されていないとＳ５７において判断すると、再びＳ５６の処理を実行する。
【００５７】
また、制御部２６は、緊急記録釦が押されていないとＳ５２において判断すると、車両４１のエンジンが停止されたか否かを判断する（Ｓ５８）。
【００５８】
制御部２６は、車両４１のエンジンが停止されたとＳ５８において判断すると、放送内容の仮記録を記録部２４に終了させた後（Ｓ５９）、図２に示す一連の処理を終了する。一方、制御部２６は、車両４１のエンジンが停止されていないとＳ５８において判断すると、再びＳ５２の処理を実行する。
【００５９】
次に、車載装置２０から本記録指示を宅内装置３０が受信したときの宅内装置３０の動作について説明する。
【００６０】
車載装置２０の無線通信機２５によってＳ５３（図２参照。）において送信された本記録指示及び表示チャンネルが宅内装置３０の無線通信機３１によって受信されると、図３に示すように、宅内装置３０の制御部３４は、無線通信機３１によって受信された表示チャンネルで放送されている放送内容の本記録を記録部３３に開始させる（Ｓ６０）。
【００６１】
次いで、制御部３４は、Ｓ６０において記録部３３に本記録を開始させた放送番組の終了時刻をアンテナ３２を介して取得した電子番組ガイドに基づいて取得し（Ｓ６１）、Ｓ６１において取得した終了時刻に現在時刻が達するまで、Ｓ６１において取得した終了時刻に現在時刻が達したか否かを判断する（Ｓ６２）。
【００６２】
そして、制御部３４は、Ｓ６１において取得した終了時刻に現在時刻が達したとＳ６２において判断すると、放送内容の本記録を記録部３３に終了させた後（Ｓ６３）、図３に示す一連の処理を終了する。
【００６３】
次に、車側本記録内容及び宅側本記録内容を宅内装置３０が繋ぎ合せるときの宅内装置３０の動作について説明する。
【００６４】
なお、車載装置２０の記録部２４内の車側本記録内容は、図４で示す処理より前に、宅内装置３０の記録部３３に移動される。車側本記録内容が車載装置２０から宅内装置３０に移動される方法としては、例えば、車載装置２０の無線通信機２５及び宅内装置３０の無線通信機３１を介した無線通信を使用する方法や、ＤＶＤ（Ｄｉｇｉｔａｌ  Ｖｅｒｓａｔｉｌｅ  Ｄｉｓｃ）−ＲＡＭ等のリムーバブルメディアを使用して運搬する方法等がある。
【００６５】
図４に示すように、宅内装置３０の制御部３４は、宅側本記録内容から最初のデータ単位を対象として抽出し（Ｓ７０）、車側本記録内容から最後のデータ単位を対象として抽出する（Ｓ７１）。ここで、データ単位としては、複数のフレームの映像を纏めた単位としてＭＰＥＧ（Ｍｏｖｉｎｇ  Ｐｉｃｔｕｒｅ  Ｅｘｐｅｒｔ  Ｇｒｏｕｐ）で規定されているＧＯＰ（Ｇｒｏｕｐ  Ｏｆ  Ｐｉｃｔｕｒｅ）が使用される。
【００６６】
次いで、制御部３４は、宅側本記録内容中の現在対象としているデータ単位と、車側本記録内容中の現在対象としているデータ単位とが同一の内容であるか否かを判断する（Ｓ７２）。
【００６７】
制御部３４は、宅側本記録内容中の現在対象としているデータ単位と、車側本記録内容中の現在対象としているデータ単位とが同一の内容であるとＳ７２において判断すると、車側本記録内容のうち現在対象としているデータ単位より時間的に前のデータと、宅側本記録内容とを繋ぎ合わせることによって、一連の放送内容を復元し（Ｓ７３）、図４に示す一連の処理を終了する。
【００６８】
一方、制御部３４は、宅側本記録内容中の現在対象としているデータ単位と、車側本記録内容中の現在対象としているデータ単位とが同一の内容ではないとＳ７２において判断すると、車側本記録内容のうち現在対象としているデータ単位より時間的に１つ前のデータ単位を新たな対象として抽出し（Ｓ７４）、再びＳ７２の処理を実行する。
【００６９】
以上、説明したように、放送内容記録システム１０は、放送内容の仮記録を車載装置２０が予め行っているので、放送内容の本記録を利用者が指示したときより前に放送された瞬間的なシーンや大事な場面等の放送内容を本記録することができる。
【００７０】
また、車両４１は、放送内容の仮記録を行う車載装置２０を搭載しているため、利用者が指示したときより前に放送された放送内容の本記録を行うことができる。
【００７１】
また、放送内容記録システム１０は、アンテナ２２によって受信された放送内容を表示するテレビ２３を車載装置２０が有しているので、放送内容を実際に見た利用者に放送内容の本記録を指示させることができ、本記録指示を利用者が誤って行う可能性を低減することができる。
【００７２】
また、放送内容記録システム１０は、車載装置２０や宅内装置３０が記録する放送内容が放送されているチャンネルが利用者によって直接指示されなくても、車載装置２０のテレビ２３で利用者に見せている放送内容を自動的に記録するので、本記録指示を利用者に容易に行わせることができる。
【００７３】
また、放送内容記録システム１０は、放送内容の仮記録が利用者によって直接指示されなくても、車両４１のエンジンが始動したことによって放送内容の仮記録を車載装置２０の記録部２４が自動的に開始するので、利便性を向上することができる。
【００７４】
また、放送内容記録システム１０は、電子番組ガイドから取得した放送番組の終了時刻まで宅内装置３０の記録部３３が放送内容の本記録を継続するので、放送内容の本記録の終了が利用者によって直接指示されなくても、記録中の放送番組が終了するときに宅内装置３０の記録部３３が放送内容の本記録を自動的に終了することができ、利便性を向上することができる。
【００７５】
なお、車載装置２０は、仮記録している放送内容のうち本記録の開始時点で受信しているチャンネルに切り替えられてからの放送内容のみを本記録するようになっているが、仮記録している全ての放送内容を本記録するようになっていても良いし、仮記録している放送内容のうち本記録の開始時点で受信している放送番組の放送内容のみを電子番組ガイドに基づいて本記録するようになっていても良い。
【００７６】
また、宅内装置３０は、一連の放送内容を復元するときのデータ単位としてＧＯＰを使用するようになっているが、ＧＯＰ以外の単位をデータ単位として使用するようになっていても良い。例えば、宅内装置３０は、一連の放送内容を復元するときのデータ単位として、映像における個々のフレームを使用するようになっていても良い。
【００７７】
また、宅内装置３０は、一連の放送内容を復元するとき、宅側本記録内容と、車側本記録内容とが同一の内容である部分で車側本記録内容及び宅側本記録内容を結合するようになっているが、宅側本記録内容と、車側本記録内容とが最も差が少ない部分等、宅側本記録内容と、車側本記録内容とが同一の内容ではない部分で車側本記録内容及び宅側本記録内容を結合するようになっていても良い。例えば、車載装置２０及び宅内装置３０がアナログ放送を受信しディジタル化して記録するとき、車側本記録内容のうち対象としているＧＯＰと、宅側本記録内容のうち対象としているＧＯＰとが必ずしも同一の内容とはならないが、宅内装置３０は、各画素単位でパラメータを比較し、車側本記録内容と、宅側本記録内容とが最も差の少ない部分で車側本記録内容及び宅側本記録内容を結合するようになっていても良い。また、宅内装置３０は、宅側本記録内容と、車側本記録内容とが同一の内容ではない部分で車側本記録内容及び宅側本記録内容を結合するようになっている場合、車側本記録内容及び宅側本記録内容の結合部分において音等の途切れ感を発生させないよう補間処理を行うことによって、利用者に対して違和感のない放送内容を復元することができる。
【００７８】
また、宅内装置３０は、一連の放送内容を復元するとき、車側本記録内容及び宅側本記録内容にタイムコードが付随する場合には、データ単位ではなくタイムコードを基準として車側本記録内容及び宅側本記録内容を結合するようになっていても良い。
【００７９】
また、車載装置２０は、宅内装置３０に本記録指示を送信した後、直ちに車側本記録内容を記録するようになっているが、宅内装置３０に本記録指示を送信してから所定時間が経過した後、車側本記録内容を記録するようになっていても良い。放送内容記録システム１０は、車載装置２０が宅内装置３０に本記録指示を送信してから所定時間が経過した後、車載装置２０が車側本記録内容を記録するようになっている場合、車載装置２０が宅内装置３０に送信した本記録指示を宅内装置３０が受信するまでの遅延時間や、本記録指示を受信した宅内装置３０が図３に示す動作を開始するまでの遅延時間等が考慮されて上記所定時間が設定されれば、車側本記録内容及び宅側本記録内容の結合部分をより確実に確保することができる。
【００８０】
また、車載装置２０は、車両４１のエンジンの始動を契機として仮記録を開始し、車両４１のエンジンの停止を契機として仮記録を終了するようになっているが、車両４１に搭載された機器に車両４１のエンジンの停止状態において電力を供給するための車両４１のアクセサリ電源のオン及びオフを、車両４１のエンジンの始動及び停止に代えて契機とするようになっていても良い。
【００８１】
また、放送内容記録システム１０は、より信頼性を向上するために、車載装置２０から本記録指示を受信した宅内装置３０が本記録指示の受信の完了を車載装置２０に通知するようになっていても良い。
【００８２】
また、放送内容記録システム１０は、電子番組ガイドに基づいて宅内装置３０が放送内容の本記録を終了するようになっているが、放送内容の本記録の終了の指示が車載装置２０の操作部２１から利用者によって入力されて車載装置２０の無線通信機２５及び宅内装置３０の無線通信機３１を介して宅内装置３０に伝達され、車載装置２０から伝達された本記録の終了の指示に基づいて宅内装置３０が放送内容の本記録を終了するようになっていても良い。
【００８３】
また、放送内容記録システム１０は、一連の放送内容を宅内装置３０によって復元するようになっているが、宅内装置３０以外の装置によって一連の放送内容を復元するようになっていても良い。例えば、放送内容記録システム１０は、宅側本記録内容を宅内装置３０から車載装置２０に移動して、一連の放送内容を車載装置２０によって復元するようになっていても良い。
【００８４】
（第２の実施の形態）
まず、第２の実施の形態に係る放送内容記録システムの構成について説明する。
【００８５】
なお、本実施の形態に係る放送内容記録システムの構成のうち、第１の実施の形態に係る放送内容記録システム１０（図１参照。）と同様な構成については、放送内容記録システム１０と同一の符号を付して詳細な説明を省略する。
【００８６】
図５に示すように、本実施の形態に係る放送内容記録システム１１０の構成は、利用者の車両４１に搭載された移動装置としての車載装置１２０と、利用者の自宅４２に固定された固定装置としての宅内装置１３０とを、車載装置２０（図１参照。）及び宅内装置３０（図１参照。）に代えて放送内容記録システム１０が備えた構成と同様である。
【００８７】
車載装置１２０の構成は、カーナビゲーションシステムで用いられるＧＰＳ（Ｇｌｏｂａｌ  Ｐｏｓｉｔｉｏｎｉｎｇ  Ｓｙｓｔｅｍ）によって車両４１の現在位置を検出する位置検出手段としての位置検出部１２４と、操作部２１に対する利用者の操作や位置検出部１２４によって検出された現在位置に基づいてテレビ２３及び無線通信機２５の動作を制御する制御部１２６とを、記録部２４（図１参照。）及び制御部２６（図１参照。）に代えて車載装置２０が備えた構成と同様である。
【００８８】
ここで、制御部１２６は、ＲＡＭ、ＲＯＭ及びＣＰＵ等によって構成されている。
【００８９】
また、制御部１２６は、操作部２１に入力された本記録指示や、テレビ２３の表示チャンネルや、放送内容の仮記録の指示である仮記録指示を無線通信機２５によって宅内装置１３０に送信するようになっている。
【００９０】
また、宅内装置１３０の構成は、無線通信機３１によって受信した信号に基づいて記録部３３の動作を制御する制御部１３４を制御部３４（図１参照。）に代えて宅内装置３０が備えた構成と同様である。
【００９１】
ここで、制御部１３４は、ＲＡＭ、ＲＯＭ及びＣＰＵ等によって構成されている。
【００９２】
また、制御部１３４は、無線通信機３１によって受信した仮記録指示に基づいて放送内容の仮記録を記録部３３に開始させるようになっている。即ち、記録部３３は、固定側仮記録手段を構成している。
【００９３】
また、制御部１３４は、記録部３３が仮記録している放送内容の少なくとも一部の本記録を、無線通信機３１によって車載装置２０から受信した本記録指示に基づいて記録部３３に行わせるようになっている。
【００９４】
次に、放送内容記録システム１１０の動作について説明する。
【００９５】
まず、車載装置１２０の動作について説明する。
【００９６】
図６に示すように、車載装置１２０の制御部１２６は、車両４１のエンジンが始動されたか否かを車両４１のエンジンが始動されるまで判断し（Ｓ１５０）、車両４１のエンジンが始動されたとＳ１５０において判断すると、操作部２１を介して利用者によって選択されたテレビ２３の表示チャンネルで放送している放送内容の仮記録の開始を宅内装置１３０に指示するための仮記録指示と、テレビ２３の表示チャンネルとを無線通信機２５を介して宅内装置１３０に送信する（Ｓ１５１）。
【００９７】
制御部１２６は、仮記録指示を宅内装置１３０にＳ１５１において送信すると、操作部２１の緊急記録釦が押されたか否かを判断する（Ｓ１５２）。
【００９８】
制御部１２６は、操作部２１の緊急記録釦が押されていないとＳ１５２において判断すると、テレビ２３の表示チャンネルが切り替えられたか否かを判断する（Ｓ１５３）。
【００９９】
制御部１２６は、テレビ２３の表示チャンネルが切り替えられたとＳ１５３において判断すると、テレビ２３の表示チャンネルと同じチャンネルに切り替えて宅内装置１３０に放送内容を記録させるためのチャンネル切替指示を無線通信機２５を介して宅内装置１３０に送信し（Ｓ１５４）、再びＳ１５２の処理を実行する。一方、制御部１２６は、テレビ２３の表示チャンネルが切り替えられていないとＳ１５３において判断すると、Ｓ１５４の処理を実行することなく、再びＳ１５２の処理を実行する。
【０１００】
また、制御部１２６は、操作部２１の緊急記録釦が押されたとＳ１５２において判断すると、宅内装置１３０が仮記録している放送内容を宅内装置１３０が本記録することを宅内装置１３０に指示するための本記録指示を無線通信機２５を介して宅内装置１３０に送信し（Ｓ１５５）、車両４１のエンジンが停止されたか否かを判断する（Ｓ１５６）。
【０１０１】
制御部１２６は、車両４１のエンジンが停止されていないとＳ１５６において判断すると、再びＳ１５２の処理を実行する。一方、制御部１２６は、車両４１のエンジンが停止されたとＳ１５６において判断すると、車両４１の停止位置が自宅４２のガレージであるのか否かを、位置検出部１２４によって検出された現在位置に基づいて判断する（Ｓ１５７）。
【０１０２】
制御部１２６は、車両４１の停止位置が自宅４２のガレージであるとＳ１５７において判断すると、放送内容の仮記録の終了の指示である仮記録終了指示を無線通信機２５を介して宅内装置１３０に送信し（Ｓ１５８）、図６に示す処理を終了する。一方、制御部１２６は、車両４１の停止位置が自宅４２のガレージではないとＳ１５７において判断すると、再びＳ１５２の処理を実行する。
【０１０３】
次に、宅内装置１３０が車載装置１２０から各種指示を受信したときの宅内装置１３０の動作について説明する。
【０１０４】
図７に示すように、宅内装置１３０の制御部１３４は、仮記録指示が無線通信機３１によって受信されたか否かを判断する（Ｓ１６０）。
【０１０５】
制御部１３４は、仮記録指示が無線通信機３１によって受信されたとＳ１６０において判断すると、無線通信機３１によって仮記録指示と共に受信された表示チャンネルで放送されている放送内容の仮記録を記録部３３に開始させて（Ｓ１６１）、図７に示す一連の処理を終了する。一方、制御部１３４は、仮記録指示が無線通信機３１によって受信されていないとＳ１６０において判断すると、チャンネル切替指示が無線通信機３１によって受信されたか否かを判断する（Ｓ１６２）。
【０１０６】
制御部１３４は、チャンネル切替指示が無線通信機３１によって受信されたとＳ１６２において判断すると、記録部３３が放送内容を本記録中であるか否かを判断する（Ｓ１６３）。
【０１０７】
制御部１３４は、記録部３３が放送内容を本記録中であるとＳ１６３において判断すると、無線通信機３１によって受信されたチャンネル切替指示に基づいた表示チャンネルを待機チャンネルとして記録部３３に記録し（Ｓ１６４）、図７に示す一連の処理を終了する。一方、制御部１３４は、記録部３３が放送内容を本記録中ではないとＳ１６３において判断すると、無線通信機３１によって受信されたチャンネル切替指示に基づいた表示チャンネルに切り替えて放送内容の仮記録を継続し（Ｓ１６５）、図７に示す一連の処理を終了する。
【０１０８】
また、制御部１３４は、チャンネル切替指示が無線通信機３１によって受信されていないとＳ１６２において判断すると、本記録指示が無線通信機３１によって受信されたか否かを判断する（Ｓ１６６）。
【０１０９】
制御部１３４は、本記録指示が無線通信機３１によって受信されたとＳ１６６において判断すると、放送内容の本記録を開始し（Ｓ１６７）、図７に示す一連の処理を終了する。即ち、制御部１３４は、仮記録している全ての放送内容を本記録した後、第１の実施の形態に係る制御部３４（図１参照。）と同様に現在受信している放送番組の本記録を電子番組ガイドに基づいて放送番組の終了時刻まで行い、現在受信している放送番組の本記録を終了したときに待機チャンネルが記録部３３に記録されている場合には、更に、待機チャンネルで放送されている放送番組の本記録を行う。
【０１１０】
また、制御部１３４は、本記録指示が無線通信機３１によって受信されていないとＳ１６６において判断すると、仮記録終了指示が無線通信機３１によって受信されたか否かを判断する（Ｓ１６８）。
【０１１１】
制御部１３４は、仮記録終了指示が無線通信機３１によって受信されていないとＳ１６８において判断すると、図７に示す一連の処理を終了する。一方、制御部１３４は、仮記録終了指示が無線通信機３１によって受信されたとＳ１６８において判断すると、記録部３３が放送内容を本記録中ではないと判断するまで、記録部３３が放送内容を本記録中であるか否かを判断する（Ｓ１６９）。
【０１１２】
制御部１３４は、記録部３３が放送内容を本記録中ではないとＳ１６９において判断すると、仮記録を終了し（Ｓ１７０）、図７に示す一連の処理を終了する。
【０１１３】
なお、制御部１３４は、図７に示す一連の処理を終了したとき、再び図７に示す処理を開始する。
【０１１４】
以上、説明したように、放送内容記録システム１１０は、放送内容の仮記録を宅内装置１３０が予め行っているので、放送内容の本記録を利用者が指示したときより前に放送された瞬間的なシーンや大事な場面等の放送内容を本記録することができる。
【０１１５】
また、放送内容記録システム１１０は、アンテナ２２によって受信された放送内容を表示するテレビ２３を車載装置１２０が有しているので、放送内容を実際に見た利用者に放送内容の本記録を指示させることができ、本記録指示を利用者が誤って行う可能性を低減することができる。
【０１１６】
また、放送内容記録システム１１０は、宅内装置１３０が記録する放送内容が放送されているチャンネルが利用者によって直接指示されなくても、車載装置１２０のテレビ２３で利用者に見せている放送内容を自動的に記録するので、本記録指示を利用者に容易に行わせることができる。
【０１１７】
また、放送内容記録システム１１０は、放送内容の仮記録が利用者によって直接指示されなくても、車両４１のエンジンが始動したことによって車載装置１２０の無線通信機２５が仮記録指示を宅内装置１３０に自動的に送信し、車載装置１２０から仮記録指示を受信した宅内装置１３０の記録部３３が放送内容の仮記録を自動的に開始するので、利便性を向上することができる。
【０１１８】
また、放送内容記録システム１１０は、放送内容の仮記録の終了が利用者によって直接指示されなくても、車両４１のエンジンが停止したときに車両４１の位置が所定の位置、即ち、自宅４２のガレージであることによって放送内容の仮記録を自動的に終了するので、利用者が自宅４２に帰宅したときに放送内容の仮記録を自動的に終了することができ、利便性を向上することができる。
【０１１９】
また、放送内容記録システム１１０は、電子番組ガイドから取得した放送番組の終了時刻まで宅内装置１３０の記録部３３が放送内容の本記録を継続するので、放送内容の本記録の終了が利用者によって直接指示されなくても、記録中の放送番組が終了するときに宅内装置１３０の記録部３３が放送内容の本記録を自動的に終了することができ、利便性を向上することができる。
【０１２０】
なお、宅内装置１３０は、仮記録している全ての放送内容をＳ１６７において本記録するようになっているが、仮記録している放送内容のうち本記録の開始時点で受信しているチャンネルに切り替えられてからの放送内容のみを本記録するようになっていても良いし、仮記録している放送内容のうち本記録の開始時点で受信している放送番組の放送内容のみを電子番組ガイドに基づいて本記録するようになっていても良い。
【０１２１】
また、車載装置１２０は、車両４１のエンジンの始動を契機として仮記録指示を宅内装置１３０に送信し、車両４１のエンジンの停止を契機として仮記録終了指示を宅内装置１３０に送信するようになっているが、車両４１のアクセサリ電源のオン及びオフを、車両４１のエンジンの始動及び停止に代えて契機とするようになっていても良い。
【０１２２】
また、車載装置１２０は、車両４１の停止位置が自宅４２のガレージであるか否かをＧＰＳを使用した方法によって判断するようになっているが、車両４１の停止位置が自宅４２のガレージであるか否かをＧＰＳを使用した方法以外の方法によって判断するようになっていても良い。例えば、車載装置１２０は、自宅４２のガレージに設けておいた近距離発信機が発信する電波を位置検出部１２４が検出した場合に、車両４１の停止位置が自宅４２のガレージであると判断するようになっていても良い。
【０１２３】
また、放送内容記録システム１１０は、電子番組ガイドに基づいて宅内装置１３０が放送内容の本記録を終了するようになっているが、放送内容の本記録の終了の指示が車載装置１２０の操作部２１から利用者によって入力されて車載装置１２０の無線通信機２５及び宅内装置１３０の無線通信機３１を介して宅内装置１３０に伝達され、車載装置１２０から伝達された本記録の終了の指示に基づいて宅内装置１３０が放送内容の本記録を終了するようになっていても良い。
【０１２４】
また、放送内容記録システム１１０は、車両４１の停止位置が自宅４２のガレージであるときに、車載装置１２０から宅内装置１３０に仮記録終了指示を送信するようになっているが、利用者が宅内装置１３０を直接操作して宅内装置１３０に仮記録終了指示を入力するようになっていても良い。
【０１２５】
なお、上述した各実施の形態において、車載装置は、自身の構成である無線通信機２５によって各種指示を宅内装置に送信するようになっているが、自身の構成以外の構成によって各種指示を宅内装置に送信するようになっていても良い。例えば、車載装置は、利用者の携帯電話機が接続され、接続された携帯電話機によって各種指示を宅内装置に送信するようになっていても良い。
【０１２６】
また、上述した各実施の形態において、放送内容記録システムは、車載装置の操作部２１の緊急記録釦が押されることによって本記録を開始するようになっているが、本記録を開始させるために利用者が操作するものとしては、釦以外のものであっても良い。
【０１２７】
また、上述した各実施の形態において、放送内容記録システムは、各種指示を宅内装置が二重に受信して宅内装置が誤動作することを防止するようになっていても良い。例えば、放送内容記録システムは、宅内装置によって本記録をしているときに車載装置の操作部２１の緊急記録釦が更に押された場合、車載装置が新たな本記録指示を宅内装置に送信しないようになっていても良いし、車載装置が新たな本記録指示を宅内装置に送信しても宅内装置が新たな本記録指示を使用せずに廃棄するようになっていても良い。
【産業上の利用可能性】
【０１２８】
以上のように、本発明に係る放送内容記録システムは、放送内容の記録を利用者が指示したときより前に放送された放送内容を記録することができるという効果を有し、ＲＳＥ（Ｒｅａｒ  Ｓｅａｔ  Ｅｎｔｅｒｔａｉｎｍｅｎｔ）システムを利用した放送内容記録システム等として有用である。
【図面の簡単な説明】
【０１２９】
【図１】本発明の第１の実施の形態における放送内容記録システムのブロック図
【図２】図１に示す放送内容記録システムの車載装置の動作のフロー図
【図３】図１に示す放送内容記録システムの宅内装置が車載装置から本記録指示を受信したときの宅内装置の動作のフロー図
【図４】図１に示す放送内容記録システムの宅内装置が車側本記録内容及び宅側本記録内容を繋ぎ合せるときの宅内装置の動作のフロー図
【図５】本発明の第２の実施の形態における放送内容記録システムのブロック図
【図６】図５に示す放送内容記録システムの車載装置の動作のフロー図
【図７】図５に示す放送内容記録システムの宅内装置が車載装置から各種指示を受信したときの宅内装置の動作のフロー図
【符号の説明】
【０１３０】
１０  放送内容記録システム
２０  車載装置（移動装置）
２１  操作部（指示入力手段）
２２  アンテナ（移動側放送受信手段）
２３  テレビ（放送内容表示手段）
２４  記録部（移動側仮記録手段、移動側本記録手段）
２５  無線通信機（指示送信手段）
３０  宅内装置（固定装置）
３２  アンテナ（固定側放送受信手段、番組ガイド取得手段）
３３  記録部（固定側仮記録手段、固定側本記録手段）
３４  制御部（復元手段、終了時刻取得手段）
４１  車両
４２  自宅（所定の場所）
１１０  放送内容記録システム
１２０  車載装置（移動装置）
１２４  位置検出部（位置検出手段）
１３０  宅内装置（固定装置）
【図１】
2006180215.tif 000003
【図２】
2006180215.tif 000004
【図３】
2006180215.tif 000005
【図４】
2006180215.tif 000006
【図５】
2006180215.tif 000007
【図６】
2006180215.tif 000008
【図７】
2006180215.tif 000009